(57)【要約】      （修正有）【課題】洗濯物などはフレームのスリットに挿入引き上げることで、確実に保持する事が出来、洗濯物の自重によって更なる保持力が発生、重量の大きな洗濯物についても同様の効果が得られるクリップを提供する。【解決手段】脱落を防止する為にオートレバー１、は支軸３を中心にカムの形状とする。オートレバーの先端Ｂに球状回転体を設け、又先端Ａにはスプリングを設ける。【選択図】図２
0003163494.tif 000002
【実用新案登録請求の範囲】
【請求項１】
カム形状のレバーを使用して簡単に洗濯物の吊り下げ保持を可能にし、かつ重荷重の洗濯物の脱落を防止する事を特徴とする洗濯ばさみなどのクリップ。
【請求項２】
カム形状のオートレバーの先端には回転球体が設けてあり、洗濯物の取り外し時に手前、又は後ろ方向に引く事で簡単に洗濯物の取り外が出来る事を特徴とする洗濯ばさみなどのクリップ。
【請求項３】
オートレバーとバネ状の羽が同素材の一体型となった事を特徴とする洗濯ばさみ。などのクリップ。
【考案の詳細な説明】
【技術分野】
【０００１】この発明は洗濯物及び書類などの吊り下げ保持に関するもの。
【背景技術】
【０００２】従来の洗濯ばさみ、クリップはスプリングの反発力を利用し２本のスティク，または平板状の先端を作用点として洗濯物、書類などを保持する形式である。
【先行技術文献】
【特許文献】
【０００３】特開２０００−３９３
【考案の概要】
【考案が解決しようとする課題】
【０００４】従来の洗濯ばさみ、クリップはスプリングの反発力のみで脱落を防止保持する形式で、スプリングの抗力を超える重量の物は脱落、飛散する恐れがあります。又、脱着時には両手を使用しなければなりません。この脱落防止と脱着の省力化を図ります。
【課題を解決するための手段】
【０００５】第一考案は脱落を防止する為にオートレバー１、は支軸３、を中心にカムの形状をなしフレーム２のスリット端面との接面で洗濯物を挟み込む形状を特徴としたものである。
第二考案はオートレバー１の先端を球状回転体とした形状を特徴としたもので有る。
第三考案はオートレバーとバネ状の羽（スプリング）が一体となった特徴を持つもので有る。
【考案の効果】
【０００６】第一考案によれば、洗濯物などはフレームのスリットに挿入引き上げることで、オートレバーとフレームにより確実に保持する事が出来、洗濯物の自重によってフレームとスリット端面には更なる保持力が発生、重量の大きな洗濯物についても同様の効果が得られる。
第二考案によれば、洗濯物などは保持してある辺りを、前、後ろいずれかの方向に引くかオートレバーが開放される上方向に引けば簡単に取り外す事ができる。
第三考案によれば、オートレバーとバネ状の羽は一体型とし組み立て工程において省力化を図りコストの軽減が可能である。
【図面の簡単な説明】
【０００７】
【図１】は平面図
【図２】は立面図
【考案を実施するための形態】
【０００８】図２に示すように、構成される部品は概ねオートレバー１とフレーム２でありオートレバーは支軸３によりフレームと連結、オートレバーの先端Ａに設けてあるバネ状の羽の反発で、その先端Ｂはスリット端面に接面している。洗濯物などはフレームのスリットに挿入、引き上げることでオートレバーは上方向に押し上げられるが洗濯物などがオートレバーの干渉域を超えるとバネ状の羽の反発力のによりスリット端面方向に回転し洗濯物を確実に保持することが出来るものである。又、オートレバーの先端Ｂには回転球体が設けてあり上下をカット、回転軸を設けコマ状とする。この事により回転球体が上下方向、即ち洗濯物が脱落する方向に回転する事がないため脱落の懸念はなくなる、と同時に洗濯物の取り外し時に手前または、後ろ方向に引く事で簡単に取り外すことが可能となります。オートレバーの先端の形状、回転球体は洗濯物の取り外しの際に洗濯物が絡みにくい形状を併せ考慮したものでもある。尚オートレバーの側面には突起を設け洗濯物が所定の操作で、取り外せない場合の補助手段としこの突起でオートレバーを押し上げるなどの処置をすることができる。オートレバーと、フレームの相互接触平面は接触面積の減少を図るためオートレバー、フレームのどちらかに支軸と同心円状に半球体の突起を設けて摩擦抵抗を少なくしオートレバーが円滑に作動するような形状とする。フレームにはストッパー５を設けてオートレバーのバネ状の羽の反発力の供与とオートレバーがフレームの左側への逸脱することを防止するものである。
【符号の説明】
【０００９】１  オートレバー
２  フレーム
３  支軸
４  回転球体
５  ストッパー
６  スリット
７  バネ状の羽
【図１】
0003163494.tif 000003
【図２】
0003163494.tif 000004
【手続補正書】
【提出日】平成22年4月2日(2010.4.2)
【手続補正１】
【補正対象書類名】実用新案登録請求の範囲
【補正対象項目名】全文
【補正方法】変更
【補正の内容】
【実用新案登録請求の範囲】
【請求項１】
オートレバー１はフレーム２に設けた支軸３に、オートレバー先端Ａ側の取り付け用穴を差し入れこの支軸を支点として回転する形状とするが、オートレバーの先端Ａに設けてあるスプリングの反発でオートレバーはスリット端面方向に回転する、この時に支軸とスリット端面間の長さをオートレバーの回転半径より短く設定することにより、スリット端面はオートレバーのストッパーとして作用する事になりここに狭窄部が発生する。この狭窄部に洗濯物を挟み込めば洗濯物の自重がオートレバーの回転を助長し狭窄力は増加する。この様に洗濯物を保持するためにカム形状のレバーを使用して洗濯物の自重を保持力として付加する事ができる構造を特徴とする洗濯バサミなどのクリップ。
【請求項２】
オートレバーの先端Ｂに回転体を取付けるスペースと回転軸を設け、この回転軸を中心に回転する回転体を取り付ける。これにより保持されている洗濯物はその回転体が回転する方向に引く事で、洗濯物の取りはずしが出来る事を特徴とする洗濯バサミなどのクリップ
【請求項３】
オートレバーとその先端Ａのスプリングは同素材の一体型とし、スプリングがオートレバーの一部位とし構成されている事で、部品点数の減少と、組み立て工数の減少を図ることを特徴とする洗濯バサミなどのクリップ。
【手続補正書】
【提出日】平成22年6月22日(2010.6.22)
【手続補正１】
【補正対象書類名】実用新案登録請求の範囲
【補正対象項目名】全文
【補正方法】変更
【補正の内容】
【実用新案登録請求の範囲】
【請求項１】
オートレバー１はフレーム２に設けた支軸３に、オートレバー先端Ａ側の取り付け用穴を差し入れこの支軸を支点として回転する形状とするが、オートレバーの先端Ａに設けてあるスプリングの反発でオートレバーはスリット端面方向に回転する、この時に支軸とスリット端面間の長さをオートレバーの回転半径より短く設定することにより、スリット端面はオートレバーのストッパーとして作用する事になりここに狭窄部が発生する、この狭窄部に洗濯物を挟み込めば洗濯物の自重がオートレバーの回転を助長し狭窄力は増加する、この様に洗濯物を保持するためにカム形状のレバーを使用して洗濯物の自重を保持力として付加する事ができる、オートレバーの先端Ｂに回転体を取付けるスペースと回転軸を設け、この回転軸を中心に回転する回転体を取り付ける、これにより保持されている洗濯物はその回転体が回転する方向に引く事で、洗濯物の取りはずしが出来る、オートレバーとその先端Ａのスプリングは一体型とし、スプリングがオートレバーの一部位とし構成されている事で、部品点数の減少と、組み立て工数の減少を図ることを特徴とする洗濯バサミなどのクリップ。